(57)【要約】【課題】  組み立てが容易で、且つ、取り扱い易い緩衝部材を提供する。【解決手段】  長方形状を有する段ボール製のシートを折り曲げてなる緩衝部材１０であって、シート１１における、互いに平行な位置にある一対の辺のうち一方に係合片１７が設けられ、他方に係合片１７を嵌め込み可能な係止部１８が設けられ、使用時に、シート１１を折り曲げるとともに係合片１７を係止部１８に係合させることで筒形状に構成される。【選択図】  図４
2005313927.tif 000002
【特許請求の範囲】
【請求項１】
長方形状を有する段ボール製のシートを折り曲げてなる緩衝部材であって、
前記シートにおける、互いに平行な位置にある一対の辺のうち一方に係合片が設けられ、他方に前記係合片を嵌め込み可能な係止部が設けられ、使用時に、前記シートを折り曲げるとともに前記係合片を前記係止部に係合させることで筒形状に構成されることを特徴とする緩衝部材。
【請求項２】
前記シートに手指を挿通可能な開口が形成されていることを特徴とする請求項１に記載の緩衝部材。
【発明の詳細な説明】
【技術分野】
【０００１】
本発明は、製品を梱包する梱包箱の外部から振動，落下，圧縮の負荷が製品にかかることを防ぐため、梱包箱内に該製品とともに収容される緩衝部材に関する。
【背景技術】
【０００２】
従来、製品を収容した梱包箱を流通させる際に、該梱包箱の内部に収容された製品に振動，落下，圧縮による負荷がかからないように、梱包箱の内部に緩衝部材を備えることが知られている（例えば、特許文献１参照）。
【０００３】
図５は、従来の緩衝部材の一例を示す斜視図である。図６は、従来の緩衝部材の他の例を示す斜視図である。図５に示す緩衝部材１０１は、段ボール製のシート１０１ａを複数貼り合わせてなるものである。また、図６に示す緩衝部材１０２は、段ボール製のシートを筒状に折り曲げ、接着剤によって固定したものである。
【０００４】
【特許文献１】特開２００１−３１５７５８号公報
【発明の開示】
【発明が解決しようとする課題】
【０００５】
しかし、このような緩衝部材１０１，１０２は、シート１０１ａ同士を貼り合わせるのに接着剤を使用するため緩衝部材１０１，１０２を作成する作業が煩雑であるうえ、一旦、緩衝部材１０１，１０２を作成した後は、緩衝部材１０１，１０２をシート１０１ａに戻すことができず、その保管スペースが嵩む点で改善の余地があった。
【０００６】
本発明は、上記事情に鑑みてなされたもので、その目的は、組み立てが容易で、且つ、取り扱い易い緩衝部材を提供することにある。
【課題を解決するための手段】
【０００７】
本発明の上記目的は、長方形状を有する段ボール製のシートを折り曲げてなる緩衝部材であって、シートにおける、互いに平行な位置にある一対の辺のうち一方に係合片が設けられ、他方に係合片を嵌め込み可能な係止部が設けられ、使用時に、シートを折り曲げるとともに係合片を係止部に係合させることで筒形状に構成されることを特徴とする緩衝部材によって達成される。
【０００８】
上記の本発明に係る緩衝部材は、シートの一対の辺に設けられた係合片と係止部とを係合させることで、該シートを筒形状に構成されるものである。このため、従来のように接着剤を使用することなく、簡単に組み立てることができる。
また、係合片と係止部との係合を解除することで、元のシートに戻すことができるため、緩衝部材として使用するとき以外は、シートとして取り扱うことで、保管スペースを小さくすることができる。
【０００９】
上記緩衝部材は、シートに手指を挿通可能な開口部が形成されていることが好ましい。  こうすれば、梱包箱に緩衝部材を収容した状態で、該緩衝部材を取り出す際に、作業者が手指を開口部に挿し込み、引き抜くことで、緩衝部材を簡単に取り出すことができるため、使い勝手が良い。
【発明の効果】
【００１０】
本発明によれば、組み立てが容易で、且つ、取り扱い易い緩衝部材を提供できる。
【発明を実施するための最良の形態】
【００１１】
以下、本発明の実施形態を図面に基づいて詳しく説明する。
図１は、本発明に係る緩衝部材を組み立てた状態を示す全体斜視図である。図２は、緩衝部材を組み立てていない状態におけるシートの平面図である。図３は、緩衝部材を組み立てる状態を説明する斜視図である。
緩衝部材１０は、長方形状を有する段ボール製のシート１１を折り曲げてなる。
【００１２】
図１に示すように、緩衝部材１０は、組み立てた状態で、互いに平行に対向する、長方形状の２つの側板部１２，１３を有し、側板部１３の上方の周縁辺１３ａと側板部１２の上方の周縁辺１２ａとの間に、これら側板部１２，１３と垂直な天板部１４が位置する。
【００１３】
また、緩衝部材１０は、組み立てた状態で、側板部１３の下方の周縁辺１３ｂから側板部１２側へ垂直に折り曲げられたフランジ部１６と、側板部１２の下方の周縁辺１２ｂから側板部１３側へ垂直に折り曲げられたフランジ部１５とを有している。
【００１４】
フランジ部１５，１６同士を重ね合わせた状態とすることで、これらフランジ部１５，１６が上記天板部１４に平行な底板部となる。こうして、緩衝部材１０は、組み立てた状態で、一対の側板部１２，１３と、天板部１４と、フランジ部１５，１６とからなる底板部とで筒形状となり、このとき、側板部１２，１３と、天板部１４と、底板部によって囲まれた空間が緩衝空間Ｓとなる。
【００１５】
組み立てられた緩衝部材１０を、梱包の対象となる製品とともに梱包箱に収容することで、箱に対して外側から係る振動，落下，圧縮などによる負荷が緩衝空間Ｓによって吸収され、負荷が製品に加わることを抑制することができる。
【００１６】
図２に示すように、緩衝部材１０を組み立てていない状態で、シート１１には長方形のフランジ部１５と側板部１２と天板部１４と側板部１３とフランジ部１６とにそれぞれ相当する面が、シート１１の長手方向沿って順番に並べて配置されている。
【００１７】
図２において、二点鎖線の直線は、フランジ部１５と側板部１２と天板部１４と側板部１３とフランジ部１６とにそれぞれ相当する面同士の境界を示している。また、図２は、緩衝部材１０を筒形状としたときに内側になる面を平面視したもので、これら二点鎖線を全て略直角に谷折りすることで図１に示す緩衝部材１０を得ることができる。
【００１８】
シート１１の周縁の４辺のうち、互いに平行に位置する一対の短辺（図２において左右端部の辺）のうち、一方の短辺にはシート１１の長手方向に突出するように設けられた係合片１７が設けられ、他方の短辺には上記係合片１７を嵌め込む込み可能な係止部１８が設けられている。緩衝部材１０は、組み立て時に、係合片１７を係止部１８に嵌め込むことで、シート１１の長手方向両端部に位置するフランジ部１５，１６同士が連結され、この結果、筒形状に構成される。
【００１９】
係合片１７は、先端部がフランジ部１５側の基端部より上下寸法が大きくなるように形成され、一方、係止部１８は、辺１３ｂに沿って細長く開口されたスリット状に形成されている。この係止部１８に係合片１７を挿通させると、挿通された係合片１７の先端部が該係止部１８の長手方向端部に引っ掛かり抜けにくくなる。こうして、組み立てられた緩衝部材１０において、係合片１７と係止部１８との係合が維持される。
【００２０】
図３に示すように、フランジ部１５において、係合片１７の基端部が形成されている箇所には、フランジ部１５と側板部１２との境界の辺１２ｂに向って切り込まれた切込み部１７ａが形成されている。また、フランジ部１６において、係止部１８の開口の隅部から、フランジ部１６と側板部１３との境界の辺１３ｂに向って切り込まれた切込み部１８ａが形成されている。係止部１８に係合片１７を嵌め込む際にフランジ部１６を側板部１３に対して垂直に折り曲げると、切込み部１８ａによってリブ１８ｂがフランジ部１６に対して垂直に（側板部１３に対して平行に）突出する。そして、係合片１７をリブ１８ｂに誘い込ませることで係止部１８に嵌め込みやすくなる。このとき、フランジ部１６からリブ１８ｂの突出した部位が、フランジ部１５において折り曲げられた係合片１７の基端部と切込み部１７ａとの間の隙間に収まるようにする。こうすれば、組み立てられた緩衝部材１０に突部がなく、製品を梱包する際に、緩衝部材の突部が他の緩衝部材や製品と干渉して無駄な空間が生じるといった不具合がない。
緩衝部材１０は、係合片１７を係止部１８に嵌め込む際に、切込み部１７ａ，１８ａによって係合片１７及び係止部１８に生じる歪みや撓みを許容し、側板部１２，１３が変形することを防止することができる。
【００２１】
本実施形態の緩衝部材１０において、天板部１４には、筒形状の内側に連通する開口部１９が形成されている。開口部１９は作業者が手指を挿通可能な寸法で形成され、本実施形態では、直径が１５ｍｍから２５ｍｍの範囲である略円形状とした。開口部１９の形状は、本実施形態のように円形に限らず、作業者が手指の一部を差し込むことができる範囲で変形可能であり、例えば、楕円形，四角形，三角形，その他の多角形に形成することができる。
【００２２】
緩衝部材１０は、シート１１の一対の辺に設けられた係合片１７と係止部１８とを係合させることで、該シート１１を筒形状に構成されるものである。このため、従来のように接着剤を使用することなく、簡単に組み立てることができる。
また、係合片１７と係止部１８との係合を解除することで、元のシート１１に戻すことができるため、梱包体に緩衝部材として使用するとき以外は、筒形状とすることなく。シート１１として取り扱うことで、保管スペースを小さくすることができる。
【００２３】
図４は、本発明に係る緩衝部材を用いた製品の梱包構造の一例を説明する斜視図である。
図４の梱包構造４０に示すように、梱包箱４１に製品Ｇを梱包する際には、梱包箱４１の底部にエアキャップや発泡スチロールなどの下方緩衝材４２を敷設する。そして、この下方緩衝材４２の上面に、製品Ｇを収容する収容空間４４を区画するとともに、梱包箱４１の側面内側に沿って緩衝部材１０を配置する。このとき、開口部１９が形成された天板部１４（図１参照）が梱包箱４１の上面側に位置するようにする。緩衝部材１０によって区画された収容空間４４に製品Ｇを収容し、これら緩衝部材１０と製品Ｇとの上方に下方緩衝材と同じ材料を有する上方緩衝材４３を配置し、梱包箱４１の上面を閉じることで、梱包が完了する。
【００２４】
梱包箱４１に収容された製品Ｇは、該梱包箱４１の側面に外部から振動，落下，圧縮などによる負荷がかかる場合に、これらの負荷を梱包箱４１に収容された緩衝部材１０によって吸収し、負荷が製品Ｇに加わることを抑制することができる。
【００２５】
また、梱包箱４１に緩衝部材１０を収容した状態で、開口部１９が梱包箱４１の上方に位置しているため、収容された製品Ｇとともに緩衝部材１０を取り出す際には、作業者が手指を開口部１９に挿し込み、引き抜くことで、緩衝部材１０を簡単に取り出すことができるため、使い勝手が良い。
【図面の簡単な説明】
【００２６】
【図１】本発明に係る緩衝部材を組み立てた状態を示す全体斜視図である。
【図２】緩衝部材を組み立てていない状態におけるシートの平面図である。
【図３】緩衝部材を組み立てる状態を説明する斜視図である。
【図４】本発明に係る緩衝部材を用いた製品の梱包構造の一例を説明する斜視図である。
【図５】従来の緩衝部材の一例を示す斜視図である。
【図６】従来の緩衝部材の他の例を示す斜視図である。
【符号の説明】
【００２７】
１０    緩衝部材
１１    シート
１７    係合片
１８    係止部
１９    開口部
【図１】
2005313927.tif 000003
【図２】
2005313927.tif 000004
【図３】
2005313927.tif 000005
【図４】
2005313927.tif 000006
【図５】
2005313927.tif 000007
【図６】
2005313927.tif 000008